(57)【要約】【課題】複数のポンプ間のシール性能を向上できるポンプ装置を提供する。【解決手段】複数のポンプ１１，１２のフランジ部１３，１３間に中間連結部１４を配置し、各フランジ部１３，１３と中間連結部１４とをボルト１６により結合する。複数のポンプ１１，１２のフランジ部１３，１３と中間連結部１４との間に、外部からの水の浸入を防止する防水用シール部材２４をそれぞれ設ける。複数のポンプ１１，１２のフランジ部１３，１３と中間連結部１４との間であって防水用シール部材２４より内径側に、内部からの液漏れを防止する液漏れ防止用シール部材２５をそれぞれ設ける。【選択図】        図１
2004285932.tif 000002
【特許請求の範囲】
【請求項１】
連結する相手部材と接触する接触面を有する複数のポンプと、
複数のポンプの接触面間に配置され接触面と締結部材により結合された中間連結部と、
複数のポンプの接触面と中間連結部との間にそれぞれ設けられ外部からの水の浸入を防止する防水用シール部材と、
複数のポンプの接触面と中間連結部との間であって防水用シール部材より内径側にそれぞれ設けられ内部からの液漏れを防止する液漏れ防止用シール部材と
を具備したことを特徴とするポンプ装置。
【発明の詳細な説明】
【０００１】
【発明の属する技術分野】
本発明は、複数のポンプを備えたポンプ装置に関する。
【０００２】
【従来の技術】
複数のポンプを軸方向に結合して、共通の駆動軸で駆動できるようにした多連ポンプがある（例えば、特許文献１参照）。
【０００３】
この種の多連ポンプは、ボルトによって締結されるフランジ部を有し、このフランジ部の接触面には駆動軸回りのシール溝が設けられ、このシール溝にＯリングなどのシール部材が嵌着され、このシール部材によりポンプ内からの液漏れを防止するようにしている。
【０００４】
【特許文献１】
特開平９−１８４４７８号公報（第２−３頁、図３）
【０００５】
【発明が解決しようとする課題】
この種の多連ポンプでは、その重量モーメントと振動のため、ボルトで締結されてＯリングなどのシール部材でシールされたフランジ部の接触面に、いわゆる口開きが生じ、この口開きにより外部から接触面に水が浸入し、この接触面に形成されたシール溝が、水の浸入に起因する発錆により損傷を受け、シール部材によるシール性を維持できず、ポンプ内からの液漏れを防止できなくなる問題がある。
【０００６】
本発明は、このような点に鑑みなされたもので、複数のポンプ間のシール性能を向上できるポンプ装置を提供することを目的とするものである。
【０００７】
【課題を解決するための手段】
請求項１に記載された発明は、連結する相手部材と接触する接触面を有する複数のポンプと、複数のポンプの接触面間に配置され接触面と締結部材により結合された中間連結部と、複数のポンプの接触面と中間連結部との間にそれぞれ設けられ外部からの水の浸入を防止する防水用シール部材と、複数のポンプの接触面と中間連結部との間であって防水用シール部材より内径側にそれぞれ設けられ内部からの液漏れを防止する液漏れ防止用シール部材とを具備したポンプ装置であり、そして、複数のポンプの接触面と中間連結部との間にそれぞれ設けられた防水用シール部材により、外部からの水の浸入を防止するとともに、複数のポンプの接触面と中間連結部との間であって防水用シール部材より内径側にそれぞれ設けられた液漏れ防止用シール部材により、内部からの液漏れを防止するので、外部から浸入した水が液漏れ防止用シール部材に到達することを防水用シール部材によって防止でき、例えば水の浸入に起因する発錆による損傷を受けない内径側の液漏れ防止用シール部材により、液漏れ防止性能を長期間確実に維持できる。
【０００８】
【発明の実施の形態】
以下、本発明を図１および図２に示された一実施の形態を参照しながら詳細に説明する。
【０００９】
図１（ａ）は、例えば油圧ショベルなどの建設機械に搭載された油圧回路のメインポンプなどとして用いられる多連構造のアキシャルピストンポンプの外観を示し、複数のポンプ１１，１２がそれぞれフランジ部１３，１３を有し、これらの複数のポンプ１１，１２のフランジ部１３，１３間に中間連結部１４が配置され、これらのポンプ１１，１２のフランジ部１３，１３と中間連結部１４とが、図１（ｂ）に示されるようにフランジ部１３のボルト挿入孔１５に挿入されて中間連結部１４に螺合された締結部材としてのボルト１６によりそれぞれ結合されている。一側のポンプ１１からは駆動軸１７が突出されている。
【００１０】
図１（ｂ）、（ｃ）に示されるように、複数のポンプ１１，１２のフランジ部１３，１３には、連結する相手部材と接触する接触面２１がそれぞれ設けられ、これらのフランジ部１３，１３の接触面２１が、中間連結部１４の一側面および他側面とそれぞれ密着されるが、これらの接触面２１に、駆動軸１７回りのシール溝２２，２３が径方向に２重に設けられている。
【００１１】
大径のシール溝２２は、外部からの水の浸入を防止する防水用であり、小径のシール溝２３は、内部からの作動油漏れなどの液漏れを防止する液漏れ防止用である。
【００１２】
図１（ａ）、（ｂ）に示されるように、複数のポンプ１１，１２のフランジ部１３，１３と中間連結部１４との間には、大径のシール溝２２に嵌着されて外部からの水の浸入を防止する防水用シール部材２４がそれぞれ設けられ、また、複数のポンプ１１，１２のフランジ部１３，１３と中間連結部１４との間であって防水用シール部材２４より内径側には、小径のシール溝２３に嵌着されて内部からの作動油漏れなどの液漏れを防止する液漏れ防止用シール部材２５がそれぞれ設けられている。これらの防水用シール部材２４および液漏れ防止用シール部材２５は、いわゆる「Ｏリング」である。
【００１３】
図２に示されるように、これらの防水用シール部材２４および液漏れ防止用シール部材２５は、一側のポンプケーシング２６の端面に形成された接触面２１と、他側のポンプケーシング２７の端面に形成された接触面２１とにそれぞれ嵌着されている。
【００１４】
これらのポンプケーシング２６，２７の内部では、中間連結部１４内に配置されたカップリング３１により２つの駆動軸１７が同軸状に結合され、これらの駆動軸１７にシリンダブロック３２がそれぞれ一体回動可能に嵌着され、これらのシリンダブロック３２に、各駆動軸１７の周囲に配列された複数のピストン３３がそれぞれ略軸方向に摺動自在に嵌合され、これらのピストン３３は、ボールジョイント３４によりそれぞれ回転リング３５に連結され、これらの回転リング３５は、それぞれ斜板３６に回転自在に当接され、これらの斜板３６は、それぞれの斜板傾転ピストン３７により傾転可能に設けられている。
【００１５】
さらに、各シリンダブロック３２と中間連結部１４との間には、吸込領域に円弧状の吸込穴（図示せず）が穿設され吐出領域に円弧状の吐出穴（図示せず）が穿設された弁板３８がそれぞれ設けられ、これらの弁板３８の吸込穴および吐出穴は、中間連結部１４内に設けられた孔を経て、外部配管と接続される。
【００１６】
中間連結部１４上には、外部からの制御信号により斜板傾転ピストン３７の位置を制御することで、この斜板傾転ピストン３７により斜板３６の傾転角を調整し、ポンプ吐出流量を可変制御するレギュレータ３９が設置されている。
【００１７】
このように構成されたポンプ装置において、各駆動軸１７により各シリンダブロック３２を回転させると、各シリンダブロック３２とともに各ピストン３３が駆動軸１７回りに回転しながら、斜板３６の傾転角に応じたストロークの往復動を繰返し、吸込行程にある各ピストン３３により、外部タンクから中間連結部１４内の孔、弁板３８の吸込穴を経て、各シリンダブロック３２内に作動油などの液を吸込むとともに、吐出行程にある各ピストン３３により、各シリンダブロック３２内から弁板３８の吐出穴、中間連結部１４内の孔を経て、外部配管に液を吐出する。
【００１８】
このようなポンプ装置において、複数のポンプ１１，１２のフランジ部１３，１３と中間連結部１４との間にそれぞれ設けられた防水用シール部材２４により、外部からの水の浸入を防止するとともに、複数のポンプ１１，１２のフランジ部１３，１３と中間連結部１４との間であって防水用シール部材２４より内径側にそれぞれ設けられた液漏れ防止用シール部材２５により、内部からの液漏れを防止する。
【００１９】
このため、ボルト１６で締結されたフランジ部１３と中間連結部１４との間に、いわゆる口開きが生じて、この口開きによりフランジ部１３の接触面２１に外部から水が浸入しようとしても、この水が防水用シール部材２４より内径側の液漏れ防止用シール部材２５に到達することを、防水用シール部材２４によって防止できるので、液漏れ防止用シール部材２５のシール溝２３などが水に濡れて発錆することも防止でき、発錆によるシール溝２３などの損傷を防止できるので、液漏れ防止用シール部材２５の液漏れ防止性能を長期間確実に維持できる。
【００２０】
【発明の効果】
請求項１記載の発明によれば、複数のポンプの接触面と中間連結部との間にそれぞれ設けられた防水用シール部材により、外部からの水の浸入を防止するとともに、複数のポンプの接触面と中間連結部との間であって防水用シール部材より内径側にそれぞれ設けられた液漏れ防止用シール部材により、内部からの液漏れを防止するので、外部から浸入した水が液漏れ防止用シール部材に到達することを防水用シール部材によって防止でき、発錆による損傷を受けない内径側の液漏れ防止用シール部材により、液漏れ防止性能を長期間確実に維持できる。
【図面の簡単な説明】
【図１】（ａ）は本発明に係るポンプ装置の一実施の形態を示す正面図、（ｂ）はそのシール部材嵌着部分の断面図、（ｃ）はその一側のポンプケーシングの接触面を示す正面図である。
【図２】同上ポンプ装置の断面図である。
【符号の説明】
１１，１２    ポンプ
１４    中間連結部
１６    締結部材としてのボルト
２１    接触面
２４    防水用シール部材
２５    液漏れ防止用シール部材
【図１】
2004285932.tif 000003
【図２】
2004285932.tif 000004